(57)【要約】【課題】  快適な生活環境を実現することができる建材用パネル及び家財道具を提供することを目的とする。【解決手段】  本発明に係る建材用パネルは、建材に用いられるパネル１であって、紙製の天板１１と当該天板１１に対峙した紙製の底板１２と、天板１１と底板１２との間に挟持され、紙製の複数のセル１４０が組み合わせられた構造を有する芯材１４と、セル１４０に収納され、空気中の所定の分子を吸着する略粒状の粒状体１５とを備えたものである。さらに、このパネル１は、底板１２に形成され、当該パネル１の外部とセル１４０との間を通気する通気孔１２０と、天板１１及び底板１２が取付けられる枠材１３とを備えている。【選択図】  図１
2006007694.tif 000002
【特許請求の範囲】
【請求項１】
建材に用いられる建材用パネルであって、
紙製の第１の基材と、
当該第１の基材に対峙した紙製の第２の基材と、
前記第１の基材と前記第２の基材との間に挟持され、複数のセルが組み合わせられた構造を有する紙製の芯材と、
前記セルに収納され、空気中の所定の分子を吸着する略粒状の粒状体とを備えた建材用パネル。
【請求項２】
前記第１の基材及び／又は前記第２の基材は、当該建材用パネル外部と前記セルとの間を通気する通気孔を有することを特徴とする請求項１記載の建材用パネル。
【請求項３】
前記第１の基材及び／又は前記第２の基材は、前記芯材に着脱可能に取付けられることを特徴とする請求項１又は２記載の建材用パネル。
【請求項４】
前記第１の基材及び／又は前記第２の基材は、紙製のシートから構成されることを特徴とする請求項１又は２記載の建材用パネル。
【請求項５】
前記第１の基材と前記第２の基材とが取付けられる枠材を、さらに備えたことを特徴とする請求項１乃至４のいずれかに記載の建材用パネル。
【請求項６】
前記第１の基材及び／又は前記第２の基材は、当該枠材にマジックテープによって着脱可能に取付けられることを特徴とする請求項５記載の建材用パネル。
【請求項７】
前記第１の基材及び／又は前記第２の基材は、前記枠材にスライド式で着脱可能に取付けられることを特徴とする請求項５記載の建材用パネル。
【請求項８】
前記第１の基材及び／又は前記第２の基材は、一部に開口部が設けられ、
当該建材用パネルは、さらに前記開口部を覆い、着脱可能に取付けられた板状部材を備えたことを特徴とする請求項８記載の建材用パネル。
【請求項９】
前記粒状体は、その表面に、前記分子と接触するコーティング材が形成され、
当該コーティング材は、前記分子を吸着する構成材料に応じた色を有することを特徴とする請求項１乃至８のいずれかに記載の建材用パネル。
【請求項１０】
請求項１乃至９のいずれかに記載の建材用パネルを用いて形成された家財道具。
【発明の詳細な説明】
【技術分野】
【０００１】
本発明は、建材用パネル及び家財道具に関する。
【背景技術】
【０００２】
従来から、床材や壁材等に用いられる紙製の建材用パネルが開発されてきた。この建材用パネルの芯材には、建材用パネル自体の軽量化のために、ハニカム状のコアが用いられている。建材用パネルの構造として、コア両面が薄板状の表皮によって覆われたサンドイッチ構造が広く採用されている。このような建材用パネルの一例が、特許文献１に開示されている。この開示された建材用パネルでは、一対の対向する板紙の間に芯材が貼り合せられ、この芯材を挟み込んだ板紙表面に化粧板が貼着されている。
【０００３】
近年、住宅やビル等の内装工事において、壁紙用の化粧板が貼付された建材用パネルが多く用いられている。この建材用パネルを製造する上で、その製造効率の向上のために、多くの化学物質が使用されている。さらに、建材用パネルの取付けに用いられる接着剤には、施工性を高めるための揮発性のある化学物質が多く含まれている。そのため、建材用パネルを用いた天井や壁等から、揮発性有機化棒物（ＶＯＣ）やホルムアルデヒド等の有害な化学物質が空気中に発散される。近年において、これら有害な化学物質を主原因とした健康障害や病気が発生し、大きな問題となっている。
【０００４】
このような有害物質による影響を低減するために、有害物質を吸着する機能を備えた建材用パネルが開発されている。この建材用パネルの一例が、特許文献２に開示されている。この開示された建材用パネルでは、化粧板に挟み込まれた芯材に貝殻を粉砕した生成物が付着されている。建材用パネルは、この芯材に付着した生成物によって、空気中の有害な化学物質を吸着する。
【０００５】
このような建材用パネルは、それ自体が密閉され、この密閉された内部に有害物質を吸着する吸着材が封入されている場合が多い。そのため、建材用パネル内部に封入された吸着材の吸着性が低下した場合に、この吸着材を簡便に入替えることが困難であり、大掛かりに建材用パネル自体を取替える必要がある。特に、特許文献２に開示された建材用パネルでは、吸着材が芯材に付着されているため、吸着材を容易に入替えたり、その吸着性をチャックしたりすることができない。
【特許文献１】特開２０００−２５７２０６号公報
【特許文献２】特開２００２−１４４４５９号公報
【発明の開示】
【発明が解決しようとする課題】
【０００６】
このように、従来の建材用パネルでは、有害な化学物質が発散するため、快適な生活環境が害されるという問題点があった。
本発明は、このような問題点を解決するためになされたもので、快適な生活環境を実現することができる建材用パネル及び家財道具を提供することを目的とする。
【課題を解決するための手段】
【０００７】
本発明にかかる建材用パネルは、建材に用いられる建材用パネルであって、紙製の第１の基材と、当該第１の基材に対峙した紙製の第２の基材と、前記第１の基材と前記第２の基材との間に挟持され、複数のセルが組み合わせられた構造を有する紙製の芯材と、前記セルに収納され、空気中の所定の分子を吸着する略粒状の粒状体とを備えたものである。このような構成により、粒状体が空気中の所定の分子を吸着するので、空気を清浄化することができ、快適な生活環境を実現することができる。
【０００８】
さらに、前記第１の基材及び／又は前記第２の基材は、当該建材用パネル外部と前記セルとの間を通気する通気孔を有する。この通気孔から外気がセルに入り込むので、粒状体は確実に空気を清浄化することができる。
【０００９】
またさらに、前記第１の基材及び／又は前記第２の基材は、前記芯材に着脱可能に取付けられる。これによって、第１の基材若しくは第２の基材を開けて、セル内の粒状体を容易に入替えることができる。
【００１０】
また、前記第１の基材及び／又は前記第２の基材を、紙製のシートから構成することができる。この場合には、この紙製のシートに種々の絵柄や模様等を施すことができるので、化粧パネルを容易に形成することができる。
【００１１】
またさらに、本発明に係る建材用パネルは、前記第１の基材と前記第２の基材とが取付けられる枠材を備えたものである。この場合、前記第１の基材及び／又は前記第２の基材を、当該枠材にマジックテープ（登録商標）によって着脱可能に取付けることができる。
さらに、前記第１の基材及び／又は前記第２の基材を、前記枠材にスライド式で着脱可能に取付けることもできる。好適には、前記第１の基材及び／又は前記第２の基材は、一部に開口部が設けられ、当該建材用パネルは、さらに前記開口部を覆い、着脱可能に取付けられた板状部材を備えたものである。
このように、何ら道具を使用することなく、第１の基材若しくは第２の基材を簡便に開閉することができる。
【００１２】
好適には、前記粒状体は、その表面に、前記分子と接触するコーティング材が形成され、当該コーティング材は、前記分子を吸着する構成材料に応じた色を有する。これによって、用途・機能の異なる粒状体を容易に峻別することができる。
【００１３】
本発明に係る家財道具は、上記のような建材用パネルを用いて形成されたものである。このような構成により、粒状体が空気中の所定の分子を吸着するので、空気を清浄化することができ、快適な生活環境を実現することができる。
【発明の効果】
【００１４】
本発明によれば、快適な生活環境を実現することができる建材用パネル及び家財道具を提供することができる。
【発明を実施するための最良の形態】
【００１５】
本発明に係る建材用パネル（以下、パネルと略す）は、吸湿・消臭・殺菌等の各種機能を行う粒状体を内部に有するものである。好適には、本発明に係るパネルは、家具、床、襖、屏風等の比較的所定の位置に固定されやすい家財道具に用いられる。
以下、本発明に係るパネルについて図を参照して説明する。
【００１６】
発明の実施の形態１．
まず、図１及び図２を用いて本発明に係るパネルの全体構成について説明する。図１の分解斜視図に、本発明に係るパネルの全体構成の一例が示されている。図１に示すように、パネル１は、天板１１、底板１２、枠材１３、芯材１４、粒状体１５を備えている。
天板１１、底板１２は、略平板状の形状を有し、所定の厚みを有する紙製の基材である。図１においては、板板１１，１２の形状は平面視略矩形状の形状であるが、用途によって種々の形状とすることができる。底板１２は、この底板１２を貫通する複数の通気孔１２０を有し、この通気孔１２０は、所定の規則に従って配列してもよいし、ランダムに形成してもよい。
【００１７】
枠材１３は、天板１１、底板１２と同様に、厚みのある紙製のフレームである。この枠材１３は、天板１１、底板１２の形状に応じた形状を有し、一例として、平面視略矩形状のフレームとすることができる。
芯材１４は、一例として紙製のロールコアやハニカムコアであり、複数のセル１４０を組み合わせた構成を有する。この芯材１４の具体的な構成については後述する。
粒状体１５は、後述するように、吸湿、消臭、殺菌等の各種機能を有する部材である。この粒状体１５の大きさは、底板１２に形成された通気孔１２０の大きさよりも小さな大きさである。
【００１８】
図２の斜視図に、本発明に係るパネル１の全体構成の一例が示されている。この図２には、図１の分解斜視図に示された各部材を組立てた構成が示されている。図２に示すように、枠材１３は、底板１２の外縁に沿って、底板１２に貼着されている。これによって、断面略凹状の器が構成され、芯材１４は、この枠材１３内に収納され、底板１２に貼着される。
天板１１は、底板１２に貼着された枠材１３に貼着されている。これによって、芯材１４は、天板１１、底板１２によって挟持されている。芯材１４は、この挟持された状態で、天板１１、底板１２の間で直立し、その間の空間を複数のセル１４０によって区分けしている。粒状体１５は、これら区分するセル１４０内に撒き散らされ、各セル１４０ごとに散乱している。
【００１９】
芯材１４は、天板１１、底板１２と接着剤等によって接着されている。図２には、底板１２と芯材１４との接着部分（略円形状に囲まれた部分）の拡大図が示されている。また、天板１１と芯材１４との接着状態は、これと同様であるから、ここでは省略する。
図２に示すように、底板１２と芯材１４との間には、接着剤１６が介在し、この接着剤１６によって底板１２と芯材１４とが接着されている。接着剤１６は、この接着状態で、底板１２と芯材１４との接着面からはみ出している。詳細には、接着剤１６は、芯材１４下面とともに側面も接着し、芯材１４の下面近傍の側面において略逆山型状に固まっている。
このように、接着剤１６が芯材１４の側面にはみ出した状態で底板１２と芯材１４とを接着するので、底板１２に加えられた圧力を芯材１４の側方に逃がすことができる。従って、この圧力全てが芯材１４に直接伝わって鉛直下方に掛かるのを防ぐことができ、耐圧性が高く十分な強度を得ることができる。
【００２０】
また、接着剤１６は、芯材１４下面の全体に亘って塗布して芯材１４下面の全てを底板１２に接着してもよいし、部分的に塗布して芯材１４下面を底板１２に部分的に接着してもよい。接着剤１６を部分的に塗布する場合には、接着剤１６が塗布されていない箇所には、芯材１４下面と底板１２底面との間に隙間が生じる。この隙間は、セル１４０とパネル１外部との間を繋ぐ通気孔１２０と同様の通気孔として機能することができる。
なお、本実施形態における通気孔１２０は、底板１２に形成されているが、これに限らず、芯材１４にも形成することができる。すなわち、底板１２上に直立した芯材１４の側面に形成し、各セル１４０とパネル１外部との間を通気してもよい。この場合には、パネル１の側方の通気を良くするために、パネル１の側方に枠材１３を設けないようにすることができる。
【００２１】
続いて、本発明に係るパネル１の芯材１４について詳細に説明する。
図３の平面図に、上方から観察した芯材１４の一構成例が示されている。ここで、図３においては、芯材１４の構造を明確にするために、枠体１３、芯材１４のみが示されている。
図３に示すように、芯材１４は、平面視略長方形状で略同一形状のセル１４０を多数組み合わせたハニカム構造を有する。これらセル１４０は、傾斜の異なる２種類のセル１４１，１４２から構成されている。具体的には、これらセル１４１，１４２はそれぞれ、横長の状態から略４５度、略１３５度傾斜している。
【００２２】
略４５度傾斜したセル１４１の長側面１４３は、略１３５度傾斜したセル１４２の短側面１４４に貼付されている。一組のセル１４１，１４２は、この貼付状態で略Ｖ字状に配置されている。このような略Ｖ字状のセル１４１，１４２は、その上方、下方にも、これらと同様の略Ｖ字状に貼付されたセル１４１，１４２が連続して貼り付けられる。
具体的には、略４５度傾斜したセル１４１の短側面１４５が、略１３５度傾斜した他のセル１４２の長側面１４６に貼り付けられている。それとともに、セル１４１，１４２の長側面１４３，１４６が、他のセル１４１，１４２の長側面１４３，１４６とそれぞれ部分的に貼り付けられている。
【００２３】
上下に貼付された略Ｖ字状のセル１４１，１４２は、左右にも連続して配列されている。具体的には、略４５度傾斜したセル１４１の短側面１４５に、略１３５度傾斜したセル１４２の長側面１４６が貼付されている。これら左右に貼付された二組の略Ｖ字状のセル１４１，１４２は、略Ｗ字状に配置されている。このように略Ｗ字状に貼付されたセル１４１，１４２は、他の略Ｗ字状に貼付されたセル１４１，１４２に連続して貼り付けられる。具体的には、略４５度傾斜した他のセル１４１の短側面１４５が、略１３５度傾斜したセル１４２の長側面１４６に貼付されている。
【００２４】
さらに続いて、本発明に係るパネル１の粒状体１５について詳細に説明する。
図４の断面図に、本発明に係る粒状体１５の一構成例が示されている。図４に示すように、粒状体１５は、コア材１５１、コーティング材１５２を有する。
コア材１５１は、略球状の形状を有し、セラミックス・アルミナを用いて構成することができる。
コーティング材１５２は、コア材１５１の表面全体に覆着され、用途によって各種材料から構成されている。コーティング材１５２の構成材料として、木炭、竹炭、黒炭、銅フタロシアニン、鉄フタロシアニン、黄土、ゼオライト、セピオライト、三二酸化鉄、ベンガラ、酸化チタン、酸化亜鉛、これらの内のいくつか若しくはすべてを混合した複合材料等とすることができる。
【００２５】
例えば、木炭・竹炭・黒炭がコーディング材１５２に用いられた場合には、コーディング材１５２は、空気中の水分を吸着つまり吸湿する。また例えば、銅フタロシアニン・鉄フタロシアニンの場合には、コーディング材１５２は疎水性（親油性）ＶＯＣを吸着分解することができる。さらに例えば、コーディング材１５２は、黄土・ゼオライト・セピオライト・三二酸化鉄・ベンガラを用いて形成されている場合には、親水性ＶＯＣを吸着分解することができる。あるいは、酸化チタン・酸化亜鉛が用いられた場合にも、コーディング材１５２は親水性ＶＯＣを吸着分解することが可能である。
【００２６】
このようなコーディング材１５２は、構成材料によって色が異なる。この色の違いによって、粒状体１５の吸着機能を容易に峻別することができる。具体的には、黒色の粒状体１５は、コーディング材１５２に木炭・竹炭・黒炭が用いられているので、吸湿機能を持つ。また、黄色の粒状体１５は、黄土・ゼオライトが用いられたものであるから、疎水性（親油性）ＶＯＣの吸着するものである。
またさらに、青色、赤色の粒状体１５はそれぞれ、銅フタロシアニン・鉄フタロシアニン、三二酸化鉄・ベンガラによってコーディング材１５２が構成されているので、親水性ＶＯＣの吸着機能を有する。また、親水性ＶＯＣを吸着する粒状体１５として、コーディング材１５２が酸化チタン・酸化亜鉛によって構成された白色の粒状体１５もある。さらに、吸着・分解触媒の機能劣化（被毒現象）のチェッカーとして、コーディング材１５２上に純銀箔や真鍮箔を付着させることもできる。
【００２７】
以上のように、本発明に係るパネル１においては、パネル１内部のセル１４０に、空気中の各種分子を吸着する粒状体１５が収納されている。外気が底板１２に形成された通気孔１２０を介してパネル１内部に入り込むと、この外気に含まれた各種分子が粒状体１５のコーディング材１５２によって吸着される。それ故、粒状体１５は、そのコーディング材１５２の構成材料によって、吸湿・消臭・殺菌等の各種機能を行うことができる。従って、本発明に係るパネル１を用いて、家内の空気を清浄化することができ、快適な生活環境を実現することができる。
【００２８】
特に、本発明に係るパネル１における芯材１４は、上記のような特定のハニカム構造を有し、３００ｋｇ／ｍ２程度までの加重に耐えうる強度を有する。そのため、家具、床等のような一度家内で備え付けると比較的動かさない家財道具に使用することが可能である。そのため、本発明に係るパネル１を用いて製作された家財道具を備え置くだけで、家内の空気を清浄化することができる。
従って、家内の空気を清浄化する空気清浄機等のような特定の機械・機器を設けることなく、快適な生活環境を簡便に実現することができる。さらに、このような特定の機械・器具を必要としないので、空気を清浄化するためにコストが上昇するのを防ぐことができる。
【００２９】
また、本発明に係るパネル１における各種部材１１〜１４は、紙製のものである。従って、パネル１の清浄能力が低下した場合には、粒状体１５を取り除いて一般の可燃ごみと一緒に、簡単に廃棄することができる。さらに、この廃棄したパネル１をリサイクルして効率よく使用することも可能である。さらにまた、本発明に係るパネル１の粒状体１５は粒状の形状を有するため、パネル１を廃棄する際に簡便に回収することが可能である。
【００３０】
発明の実施の形態２．
発明の実施の形態２においては、パネル１における芯材の他の構成について説明する。
図５の平面図に、パネル１における芯材の他の構成例が示されている。図５に示すように、本実施形態における芯材２１は、平面視略平行四辺形状で略同一のセル２１０を多数組み合わせたハニカム構造を有する。これらセル２１０は、２種類のセル２１１，２１２から構成されている。
【００３１】
２種類のセル２１１，２１２は、図中左右に略線対称な状態で配置されている。具体的には、セル２１１，２１２は、互いの平行な側面において略Ｖ字状となるように左右に固着されている。このような略Ｖ字状のセル２１１，２１２は、左右に連続して配置されている。従って、芯材２１は、平面視略平行四辺形状のセル２１０を略線対称に反転させながら左右に貼着した構造を有する。すなわち、複数のセル２１１，２１２は、この固着状態で略波型状に配置されている。このような略Ｗ字状に固着されたセル２１１，２１２は、上下にも連続して配列されている。
【００３２】
このような本実施形態における芯材２１は、その構造から１ｔ／ｍ２程度までの加重に耐えうる強度を有する。従って、本発明に係るパネル１を、家具の底板や床板のような荷重の受けやすい部位に用いることができる。このような荷重の受けやすい部位は、一箇所に固定されることが多い。そのため、この部位周辺に湿気等が溜まりやすく、この部位周辺の空気が不潔になりやすい。本発明に係るパネル材１が空気の清浄化機能を有するので、この不潔になりやすい部位周辺の空気を簡便に清浄化することができる。また、本実施形態における芯材２１が一箇所に固定されることが多いので、清潔な状態を容易に維持することができる。
【００３３】
発明の実施の形態３．
発明の実施の形態３においては、粒状体１５がパネル１の内部に入替え可能に収納される構成について説明する。ここで、本実施形態において、発明の実施形態１と同様の部材には同じ符号を付し、その説明を省略する。
図６の斜視図に、本実施形態におけるパネル１の全体構成の一例外示されている。図６に示すように、本実施形態におけるパネル１は、前述した各構成部材に加えて、マジックテープ（登録商標）３１１，３１２，３１３，３１４，３２１，３２２，３２３，３２４を備えている。これらマジックテープ３１１〜３１４、３２１〜３２４はそれぞれ、取外し可能に貼り付く組となっている。
【００３４】
マジックテープ３１１〜３１４は、マジックテープ３２１〜３２４との貼付面の背面において枠材１３に固着されている。より詳細にはマジックテープ３１１〜３１４は、略矩形状の枠材１３上面に接着されている。これに対して、マジックテープ３２１〜３２４は、マジックテープ３１１〜３１４との貼付面に対して背面において天板１１底面に固着されている。より詳細にはマジックテープ３２１〜３２４は、略矩形状の天板１１の外縁に沿って接着されている。これらマジックテープ３１１〜３１４，３２１〜３２４は、一例として接着剤等によって接着されている。
【００３５】
このように、本実施形態におけるパネル１においては、天板１１は、マジックテープ３１１〜３１４，３２１〜３２４がそれぞれ対向した状態で、枠材１３の上面に載置されている。これによって、これら組となるマジックテープ３１１〜３１４，３２１〜３２４が互いに貼り付くので、天板１１を枠材１３に取外し可能に固定することが可能となる。従って、マジックテープ３１１〜３１４、３２１〜３２４を用いることによって、天板１１を簡便に開け閉めすることができる。これにより、パネル１内の粒状体１５を容易に入替えたり、粒状体１５の機能低下を調べたりすることも可能である。特に、パネル１に収納された粒状体１５は、必ず機能が劣化するものであるため、このような入替えたり機能劣化を調べたりすることができる効果は、大きな効果となる。
【００３６】
また、本実施形態のパネル１のようにマジックテープ３１１〜３１４、３２１〜３２４を用いる場合には、何ら道具を用いることなく、天板１１を容易に開閉することができる。従って、一箇所に固定されやすい家具や床に用いられるパネル１においては、家具や床を分解する必要がないので、この効果は大きい。特に、本実施形態におけるパネル１が床板等のように横にした状態で用いられる場合には、パネル１が敷設され続けるので、この効果は顕著となる。
【００３７】
発明の実施の形態４．
発明の実施の形態においては、天板１１がマジックテープ３１１〜３１４、３２１〜３２４によって取外し可能に取付けられたが、発明の実施の形態４においては、天板１１が取付ビスによって枠材１３に取付けられる場合について説明する。ここで、本実施形態において、発明の実施形態１と同様の部材には同じ符号を付し、その説明を省略する。
【００３８】
図７の斜視図に、本実施形態におけるパネル１の全体構成の一例が示されている。図７に示すように、本実施形態におけるパネル１は、取付ビス３３１，３３２，３３３，３３４を備えている。さらに、略矩形状の天板１１は、その４隅付近に取付孔３４１，３４２，３４３，３４４を有する。これに対して、略矩形状の枠材１３の４隅付近に、ビス孔３５１，３５２，３５３，３５４が形成されている。
取付ビス３３１〜３３４は、天板１１が枠材１３の上面に載置された状態で、取付孔３３１〜３３４を通ってビス孔３５１〜３５４に螺着される。これによって、天板１１は、枠材１３に取外し可能にネジ止めされる。
【００３９】
このように、本実施形態におけるパネル１においても、天板１１が取外し可能であるから、発明の実施形態３と同様の効果を得ることができる。また、本実施形態のように、取付ビス３３１〜３３４によって天板１１を固定する場合には、マジックテープ３１１〜３１４、３２１〜３２４に比べてより確実に固定することができる。従って、パネル１を立てた状態で用いる場合には、その長手方向の強度を確実に確保することができる。
【００４０】
発明の実施の形態５．
発明の実施の形態５においては、天板１１が取付金具によって枠材１３に取付けられる場合について説明する。ここで、本実施形態において、発明の実施形態１と同様の部材には同じ符号を付し、その説明を省略する。
【００４１】
図８の斜視図に、本実施形態におけるパネル１の一構成例が示されている。図８に示すように、本実施形態におけるパネル１は、取付金具３６１，３６２，３６３，３６４を備えている。
図８に示すように、これら取付金具３６１〜３６４は、断面略Ｃ字状で略同一の形状を有する部材である。取付金具３６１〜３６４は、天板１１が枠材１３上に載置された状態で、略矩形状のパネル１の各辺に取付けられる。詳細には、取付金具３６１〜３６４は、天板１１、底板１２を上下から挟み込み、天板１１、底板１２を枠材１３に押し当てて固定している。なお、図８においては、パネル１の対向する一組の辺にのみ取付金具３６１から３６４が取付けられているが、他方の対向する辺にも取付けてもよい。
このような本実施形態におけるパネル１もまた、発明の実施の形態３，４と同様の効果を得ることができる。特に、取付金具３６１〜３６４を用いる場合には、何ら道具を使用することなく天板１１を簡便に開閉することができる。従って、発明の実施の形態３と同様の効果を得ることができる。
【００４２】
なお、発明の実施の形態３〜５においては、取付ビス３３１〜３３４や取付金具３６１〜３６４によって天板１１が取付けられているが、これらの器具に限らず、天板１１が開閉可能に取付けられればよい。他の一例として、蝶番によって、天板１１を枠材１３に開閉可能に取付けることもできる。この場合に、天板１１が勝手に開かないように、磁石等によって確実に閉じた状態を維持するようにしてもよい。
【００４３】
発明の実施の形態６．
発明の実施の形態６においては、パネルの天板がスライド式に取付けられる場合について説明する。ここで、本実施形態においては、発明の実施の形態１と同様の部材には同じ符号を付し、その説明を省略する。
【００４４】
まず、図９を用いて、本実施形態におけるパネルの全体構成について説明する。
図９の斜視図に、このパネルの全体構成が示されている。図９に示すように、本実施形態におけるパネル４０は、枠材４１、天板４２、底板４３を備えている。さらに、このパネル４０は、芯材２１を備えるが、この芯材２１に替えて芯材１４とすることもできる。
枠材４１は、断面略矩形状の形状を有し、所定の厚みを有する紙製の筒体である。この枠材４１は、長手方向に沿って略矩形状に開口された開口窓４１０を有する。この開口窓４１０の両脇に壁面が長手方向に沿って形成されている。
【００４５】
枠材４１は、さらに、天板４２、底板４３をスライド式に嵌めるための一対のガイド４１１、４１２を有する。ガイド４１１，４１２は、開口窓４１０両脇の壁面に形成され、開口窓４１０の長手方向に沿って切り込まれた溝である。このガイド４１１，４１２の溝幅は、天板４２の厚み程度とすることができ、天板４２が嵌る幅であればよい。
芯材２１は、筒体である枠材４１の内部に挿着され、この挿着状態で、枠体４１の開口窓４１０から露出している。この芯材２１は、挿着された枠体４１に接着剤等によって接着してもよいし、入替え可能となるように挿入するだけでもよい。また、粒状体１５は、芯材２１のセル２１０の内、開口窓４１０から露出したセル２１０に収納されているが、セル２１０全体に亘って収納してもよい。
【００４６】
天板４２は、開口窓４１０と略同じ幅を有する略平板状の部材であり、紙を用いて形成することができる。天板４２は、パネル４０の内外を通気するための通気窓４２０を有する。この通気窓４２０は、種々の形状を有することができるが、一例として略矩形状の貫通孔とすることができ、格子状に配列されている。この通気窓４２０は、通気孔１２０と同様に、粒状体１５の大きさよりも小さい形状とすることができる。
天板４２は、枠体４１の長手方向に沿って、枠材４１の開口窓４１０に嵌め込まれる。詳細には、天板４２の長手方向に沿った対向する端面付近は、枠体４１のガイド４１１，４１２に嵌装され、天板４２は、枠体４１の開口窓４１０上をスライドしながら嵌め込まれる。このとき、天板４２は、ガイド４１１，４１２に摺動可能に嵌装され、枠体４１に取外し可能に取付けられる。天板４２は、開口窓４１０に嵌め込まれた状態で芯材２１上に配置され、開口窓４１０を蓋する。
底板４３は、天板４２と同様の部材である。この底板４３にもまた、天板４２の通気窓４２０と同様の貫通孔を形成してもよい。また、底板４３もまた、枠体４１に開口窓４１０に対向した開口部を形成し、この開口部にスライド式で嵌め込まれるようにしてもよい。図９においては、枠体４１に開口窓４１０と同様の開口部が形成され、底板４３は、この開口部の外周に固着されている。
【００４７】
このような本実施形態におけるパネル４０もまた、発明の実施の形態３，４，５と同様の効果を得ることができる。特に、天板４２がスライド式で取外し可能に取付けられる場合には、何ら道具を使用することなく天板１１を簡便に開閉することができる。従って、発明の実施の形態３，５と同様の効果を得ることができる。
さらに、本発明に係るパネル１が直立状態で置かれるような家具、襖、屏風等の場合には、その側面を構成するパネル１においてスライド式に開閉できると非常に有用である。従って、上記のような効果は、このような直立状態で置かれる家財道具にパネル１を用いる場合において顕著となる。
【００４８】
発明の実施の形態７．
発明の実施の形態７においては、天板１１に替えて、シートが用いられた場合について説明する。ここで、本実施形態においては、発明の実施の形態１と同様の部材には同じ符号を付し、その説明を省略する。
なお、本実施形態においてはパネル１の天板１１を用いて説明するが、これに限らず、発明の実施の形態６におけるパネル４０にも適用することが可能である。またなお、天板１１のみならず、シートを用いて底板１２、あるいは両者を形成してもよい。
【００４９】
図１０の斜視図に、本実施形態におけるパネルの全体構成が示されている。図１０に示すように、天板１１に替えて、シート５１を備えている。このシート５１は、和紙等のように比較的薄い紙製のシートである。シート５１は、天板１１と同様に、枠材１３、芯材１４に接着剤等によって固着されている。
このように、シート５１を用いてパネル１１に蓋をする場合には、シート５１の図柄や模様等の装飾を行いやすいので、容易に化粧パネルを形成することができる。また、シート５１を用いる場合には、各部材１１から１４を接着するときに容易に接着することが可能である。
【００５０】
なお、本発明の実施の形態１乃至７においては、底板１２、天板４２に通気孔１２、通気窓４２０が形成されているが、これに限らず、通気孔１２、通気窓４２０を形成しないように構成することも可能である。すなわち、パネル１，４０外部とセル１４０，２１０とが通気することができればよく、セル１４０，２１０とパネル１，４０外部とが通気可能な場合には、必ずしも形成しなくてもよい。この通気をより確実にするためには、通気孔１２、通気窓１２０を形成する方が好ましい。
【図面の簡単な説明】
【００５１】
【図１】本発明に係るパネルの全体構成の一例を示す分解斜視図である。
【図２】本発明に係るパネルの全体構成の一例を示す斜視図である。
【図３】本発明に係るパネルにおける芯材の一構成例を示す平面図である。
【図４】本発明に係るパネルにおける粒状体の一構成例を示す断面図である。
【図５】本発明に係るパネルにおける芯材の他の構成例を示す平面図である。
【図６】本発明に係るパネルの全体構成の他の一例を示す分解斜視図である。
【図７】本発明に係るパネルの全体構成の他の一例を示す分解斜視図である。
【図８】本発明に係るパネルの全体構成の他の一例を示す斜視図である。
【図９】本発明に係るパネルの全体構成の他の一例を示す斜視図である。
【図１０】本発明に係るパネルの全体構成の他の一例を示す分解斜視図である。
【符号の説明】
【００５２】
１…パネル、１１…天板、１２…底板、１２０…通気孔、１３…枠材、１４…芯材、
１４０…セル、１５…粒状体、１５１…コア材、１５２…コーティング材、１６…接着剤
２１…芯材、２１０…セル
３１１〜３１４…枠体側のマジックテープ、３２１〜３２４…天板側のマジックテープ
３３１〜３３４…取付ビス、３４１〜３４４…取付孔、３５１〜３５４…ビス孔
３６１〜３６４…取付金具
４０…パネル、４１…枠体、４１０…開口窓、４１１，４１２…ガイド、４２…蓋材
５１…シート
【図１】
2006007694.tif 000003
【図２】
2006007694.tif 000004
【図３】
2006007694.tif 000005
【図４】
2006007694.tif 000006
【図５】
2006007694.tif 000007
【図６】
2006007694.tif 000008
【図７】
2006007694.tif 000009
【図８】
2006007694.tif 000010
【図９】
2006007694.tif 000011
【図１０】
2006007694.tif 000012